(57)【要約】【課題】設置時等において本体へのスタンドの仮止めおよび取り付けに係る構成を簡略化するとともに、取り付け作業に係る労力を軽減し、作業効率を高め、コストの低減および利便性の向上を実現することを目的とする。【解決手段】表示パネルにより画像の表示を行う本体と、この本体を支持するスタンドとを結合する結合構造を備える画像表示装置であって、この結合構造は本体とスタンドとを固定する固定構造および懸架構造を備え、この固定構造はネジ部およびネジ穴２２ｄを有し、懸架構造は本体に対してスタンドを懸架する鉤爪部２２ｂ、２２ｃおよび仮止め部としての懸架孔を有する構成である。【選択図】図５ａ
2012150371.tif 000002
【特許請求の範囲】
【請求項１】
表示パネルにより画像の表示を行う本体、前記本体を支持するスタンド、および前記本体と前記スタンドとを結合する結合構造を備える画像表示装置であって、前記結合構造は前記本体と前記スタンドとを固定する固定構造および前記本体に対して前記スタンドを懸架する懸架構造を備え、前記懸架構造は前記スタンドを前記本体に対して固定に係る位置決めを行う構造を備えることを特徴とする画像表示装置。
【請求項２】
前記懸架構造は鉤爪部および前記鉤爪部を懸架して前記スタンドの仮止めを行う仮止め部を備え、前記鉤爪部を前記仮止め部に懸架する際に前記鉤爪部と前記仮止め部とにより前記スタンドの固定に係る位置決めを行う構造を備えることを特徴とする請求項１に記載の画像表示装置。
【請求項３】
前記鉤爪部を前記スタンドに配設し、前記仮止め部を前記本体に配設することを特徴とする請求項２に記載の画像表示装置。
【請求項４】
前記鉤爪部は、第１および第２の鉤爪構造を備えることを特徴とする請求項２または請求項３に記載の画像表示装置。
【請求項５】
前記第１および第２の鉤爪構造は、前記スタンドを前記本体に懸架する際に水平方向となる方向に対して前記スタンドの重心の両側に前記重心からそれぞれ所定距離の位置に設けることを特徴とする請求項４に記載の画像表示装置。
【請求項６】
前記第１の鉤爪構造と前記第２の鉤爪構造は、寸法および形状の少なくともいずれかが異なることを特徴とする請求項４または請求項５に記載の画像表示装置。
【請求項７】
前記仮止め部は前記第１の鉤爪構造を懸架する第１の仮止め部、および前記第２の鉤爪構造を懸架する第２の仮止め部を備え、前記第１および第２の仮止め部のいずれか一方が前記スタンドの固定に係る位置決めを行う構造を備えることを特徴とする請求項４から請求項６のいずれか１項に記載の画像表示装置。
【請求項８】
前記仮止め部は前記鉤爪部の懸架孔であり、前記２懸架孔は配設位置並びに、寸法および形状の少なくともいずれかにより前記スタンドの固定に係る位置決めを行う構造を備えることを特徴とする請求項２から請求項７のいずれか１項に記載の画像表示装置。
【請求項９】
前記鉤爪部および前記仮止め部をいずれも板金構造により構成することを特徴とする請求項２から請求項８のいずれか１項に記載の画像表示装置。
【請求項１０】
前記固定構造をネジ止め構造とすることを特徴とする請求項１から請求項９のいずれか１項に記載の画像表示装置。
【発明の詳細な説明】
【技術分野】
【０００１】
本発明は、平板型の表示パネルを使用した本体および本体を支持するスタンドを備える画像表示装置に関する。
【背景技術】
【０００２】
近年、テレビセットなどの分野において、プラズマディスプレイパネルや液晶表示パネルを使用した薄型の画像表示装置の一般家庭への普及に伴い、画像表示に係る機能や品質に加えて、設置時の利便性に係る技術の改善が求められている。また、薄型の画像表示装置を、本体および本体を支持するスタンドにより構成し、設置時にスタンドを本体に取り付ける事例が多くなっている。この場合、本体へのスタンドの取り付けは、複数のネジにより固定する方法が一般的であり、固定時の利便性を確保するための対策として、従来、本体とスタンドとを相互に位置決めする構造が提案されている（例えば、特許文献１、２参照）。この事例では、床面などに置いたスタンドの取付部材に対して表示装置の本体を上下方向にスライドさせることにより本体をスタンド上に載置して位置決めした後、本体とスタンドを横方向からネジ止めを行う。このため、表示装置のサイズが大きくて重い場合には、組立作業に労力を要するという課題があった。
【０００３】
これに対する措置として、画像表示装置の本体を横にして台に載置して、本体に配設された連結フレームにスタンドの受枠を嵌合させ、弾性片部により本体にスタンドを仮止めした後、連結フレームの底面にネジ止めする方法が開示されている。この事例では、スタンドの取り付け時に本体を上下に移動させる労力を軽減し、ネジ止め前に本体からスタンドが落下するトラブルを防止することができる（例えば、特許文献３参照）。
【先行技術文献】
【特許文献】
【０００４】
【特許文献１】特開２００８−１３４５５２号公報
【特許文献２】特開２００８−２７５８２４号公報
【特許文献３】特開２００９−２６５２０５号公報
【発明の概要】
【発明が解決しようとする課題】
【０００５】
しかしながら、上記従来の技術では、画像表示装置本体へのスタンドの取り付けに際し、本体の取り扱いに関する労力を低減し、取り付け時のスタンドの落下を防止するために、本体とスタンドを結合するネジ止め機構に加えて、本体とスタンドとの位置決めを行う位置決め機構、および本体にスタンドを仮固定する仮固定機構を必要とする。特に、開示例では位置決め機構として連結フレームおよび受枠を使用した嵌合構造を備え、仮固定機構として連結フレームに板片部を、スタンドに弾性片部をそれぞれ配設する。したがって、画像表示装置の大型化に伴い、本体およびスタンドの構造の複雑化がコストアップの要因となり、スタンド取り付け時の作業性に関しても更なる改善が求められている。
【０００６】
本発明は、以上の状況および課題に鑑みてなされたものである。本体および本体支持用のスタンドを備えた画像表示装置に関し、設置時等において本体へのスタンドの仮止めおよび取り付けに係る構成を簡略化するとともに、取り付け作業に係る労力を軽減し、作業効率を高め、コストの低減および利便性の向上を実現することを目的とする。
【課題を解決するための手段】
【０００７】
上記の課題を解決するために、本発明による画像表示装置は、表示パネルにより画像の表示を行う本体、本体を支持するスタンド、および本体とスタンドとを結合する結合構造を備える画像表示装置であって、結合構造は本体とスタンドとを固定する固定構造および本体に対してスタンドを懸架する懸架構造を備え、懸架構造はスタンドを本体に対して固定に係る位置決めを行う構造を備えることを特徴とする。
【０００８】
このよう構成により、画像の表示を行う本体、本体を支持するスタンド、および本体とスタンドとを結合する結合構造を備える画像表示装置において、懸架構造を使用することによりスタンドを本体に対して固定に係る位置決めを行って懸架し、固定構造を使用して本体とスタンドとを固定し結合することが可能となる。したがって、懸架構造はスタンドの仮止め機能と位置決め機能を備えており、本体にスタンドを取り付ける際に、本体にスタンドを懸架し、取付位置に仮止めしたうえで、スタンドの取り付け作業を行うことができる。また、スタンドを仮止めする際に、本体を固定する必要もない。これにより、本体および本体支持用のスタンドを備えた画像表示装置に関し、本体へのスタンドの取り付けに係る構成を簡略化するとともに、設置時等においてスタンドの取り付け作業に係る労力を軽減し、作業効率を高め、コストの低減および利便性の向上を実現することができる。
【０００９】
また、本発明による画像表示装置は、懸架構造は鉤爪部および鉤爪部を懸架してスタンドの仮止めを行う仮止め部を備え、鉤爪部を仮止め部に懸架する際に鉤爪部と仮止め部とによりスタンドの固定に係る位置決めを行う構造を備える。このような構成により、鉤爪部を仮止め部に懸架することにより鉤爪部と仮止め部を係合し、鉤爪部を仮止め部に懸架する際に、仮止め部においてスタンドの固定に係る位置決めを行うことが可能となる。したがって、簡単な作業で、確実かつ迅速にスタンドを本体に仮止めすることができる。
【００１０】
また、本発明による画像表示装置は、鉤爪部をスタンドに配設し、仮止め部を本体に配設する。鉤爪構造は凸形状となるため、鉤爪部を本体に配置した場合には、本体の取り扱い時に破損するなどのトラブルが発生しやすいため、保護構造を考慮する必要がある。これに対して、スタンドは比較的軽量であり、取り扱いが容易である。したがって、スタンドに鉤爪部を配設しても取り扱い上のトラブルは考えにくく、特に鉤爪部の保護対策を必要としない。これにより、鉤爪部に係る構造を簡略化し、スタンドを取り付ける際の鉤爪部の破損等のトラブルの発生を抑制することができる。
【００１１】
また、本発明による画像表示装置は、鉤爪部は、第１および第２の鉤爪構造を備える。このような構成により、二つの鉤爪構造によりスタンドを本体に懸架することが可能となる。したがって、スタンドの仮止め時にスタンドの回転や揺動を防止することができ、迅速かつ確実な取り付け作業を実現することができる。
【００１２】
また、本発明による画像表示装置では、第１および第２の鉤爪構造は、スタンドを本体に懸架する際に水平方向となる方向に対してスタンドの重心の両側に重心からそれぞれ所定距離の位置に設ける。このような構成により、スタンドを仮止めする際に、スタンドの重心の両側に配置された二つの鉤爪構造によりスタンドを本体に懸架することが可能となる。したがって、スタンドの仮止め時にスタンドの回転や揺動を確実に防止することができる。
【００１３】
また、本発明による画像表示装置では、第１の鉤爪構造と第２の鉤爪構造は、寸法および形状の少なくともいずれかが異なる。このような構成により、スタンドの取り付け時に予め定められた条件で本体に懸架し仮止めすることが可能となる。したがって、スタンド取り付け時のスタンドの取り付け方向の誤りなどのトラブルの発生を防止することができ、確実で利便性の高い懸架構造を実現することができる。
【００１４】
また、本発明による画像表示装置は、仮止め部は第１の鉤爪構造を懸架する第１の仮止め部、および第２の鉤爪構造を懸架する第２の仮止め部を備え、第１および第２の仮止め部のいずれか一方がスタンドの固定に係る位置決めを行う構造を備える。このよう構成により、第１および第２の鉤爪構造をそれぞれ対応する仮止め部において懸架しスタンドの位置決めを行うことが可能となる。したがって、懸架構造に係る設計上の最適化が容易となり、確実で利便性の高い懸架構造を実現することができる。
【００１５】
また、本発明による画像表示装置は、仮止め部は鉤爪部の懸架孔であり、懸架孔は配設位置並びに、寸法および形状の少なくともいずれかによりスタンドの固定に係る位置決めを行う構造を備える。このような構成により、懸架孔の配設位置並びに、寸法および形状の少なくともいずれかによりスタンドの固定に係る位置決めを行うことが可能となる。したがって、スタンドの仮止め作業が容易となり、スタンドを取り付ける際の利便性を高める効果を発揮することができる。
【００１６】
また、本発明による画像表示装置は、鉤爪部および仮止め部をいずれも板金構造により構成する。このよう構成により、懸架構造を簡略化し、強度を高めることが可能となり、生産性の高い懸架構造を実現することができる。したがって、懸架構造のコストの低減に効果を発揮することができる。
【００１７】
また、本発明による画像表示装置は、固定構造をネジ止め構造とする。このよう構成により、固定構造を簡略化し、固定および分解作業を容易に行うことができる。したがって、設置および運搬等に係る利便性の向上に効果を発揮することができる。
【発明の効果】
【００１８】
本発明の画像表示装置によれば、スタンドを本体に懸架することによりスタンドを本体の固定位置に仮止めすることが可能となる。したがって、スタンドを取り付ける際に、スタンドが無支持状態になっても本体から落下することがなく、スタンドを容易に仮止めすることができる。仮止めする際に本体を固定する必要もない。これにより、スタンドの取り付けに係る構造の簡略化、およびスタンドを取り付ける際の利便性の向上に大きな効果を発揮することができる。
【図面の簡単な説明】
【００１９】
【図１】本発明の実施の形態１における画像表示装置の外観を示す斜視図
【図２】同装置におけるスタンドの外観を示す４面図
【図３】同スタンドの外観を示す斜視図
【図４】同スタンドの構造を示す拡大斜視図
【図５ａ】本発明の実施の形態１における画像表示装置のスタンド結合構造の表側の平面図
【図５ｂ】同画像表示装置のスタンド結合構造の鉤爪部の側面図
【図５ｃ】同画像表示装置のスタンド結合構造の裏側の平面図
【図６】同装置におけるスタンド取付方法を示す斜視図
【図７】同装置におけるスタンド取付方法を示す斜視図
【図８】同装置におけるスタンド取付構造を示す一部断面図
【発明を実施するための形態】
【００２０】
以下、本発明の画像表示装置ついて、図１から図８を参照しながら説明する。
【００２１】
（実施の形態１）
まず、図１および図２により本発明の実施の形態１における画像表示装置（以下、本装置と略記する）の主要な構成について説明する。図１は、本発明の実施の形態１における画像表示装置の外観を示す斜視図、図２は、同装置におけるスタンドの外観を示す４面図である。図１（ａ）に示すように、本装置１は、表示パネルにより画像の表示を行う本体１０、本体を支持するスタンド２０、および本体１０とスタンド２０とを結合する結合構造（図示せず）を備える。また、図１（ｂ）に示すように、本体１０は、プラズマディスプレイパネルまたは液晶パネルなどを使用した表示パネル１１、前面カバー１２、背面カバー１３および筺体１４を備え、本体１０とスタンド２０とは、本体１０の底面１５で結合される。スタンド２０は、図２に示すように、樹脂を材料とするスタンドカバー２１および鉄板を使用した支持板２２を備える。スタンドカバー２１および支持板２２は、溶着ボス２３により６か所で結合され、一体化されている。また、スタンドカバー２１には脚部２４が４か所、支持板２２には脚部２５が２か所、それぞれ設けられている。
【００２２】
つぎに、本装置１が備える本体１０にスタンド２０を取り付けるための構造（以下、結合構造と略記する）について、図３から図５を用いて説明する。図３は、スタンド２０の外観を示す斜視図、図４は、図３のＡ部の詳細な構造を示す拡大斜視図であり、図５は、結合構造を詳細に示す平面図および側面図である。また、図５（ａ）は、図４のＢ矢視図、図５（ｂ）は、図５（ａ）のＣ矢視図であり、スタンド２０における結合構造に係る詳細な構成を示す。図５（ｃ）は、本体１０における結合構造に係る詳細な構成を示す平面図である。
【００２３】
図４に示すように、スタンド２０は、スタンドカバー２１の突起部２１ａに配設された窓部２１ｂから支持板２２の突起部２２ａが突出する構造を備えている。また、図５（ｃ）に示すように、本体１０は、底面１５（図１）において背面カバー１３の窓部１３ａから筺体１４のスタンド取付部１４ａが露出する構造を備えている。
【００２４】
本装置１における結合構造は、本体１０のスタンド取付部１４ａおよびスタンド２０の突起部２２ａにより構成される。また、図４および図５（ａ）、図５（ｂ）に示すように、スタンド２０の金属支持板２２の突起部２２ａには、第１および第２の鉤爪構造として、打ち抜きおよび曲げ加工により形成される二つの鉤爪部２２ｂ、２２ｃおよび４か所のネジ穴２２ｄが設けられている。鉤爪部２２ｂ、２２ｃは、それぞれ鉤爪形状に加工されている。一方、図５（ｃ）に示すように、本体１０の底面１５には筺体１４にスタンド取付部１４ａが設けられ、スタンド取付部１４ａには二つの打ち抜き孔（以下、懸架孔と略記する）１４ｂ、１４ｃ、およびネジ部１４ｄを４か所備えている。
【００２５】
このような構成により、本体１０のスタンド取付部１４ａに配設されたネジ部１４ｄおよびスタンド２０の突起部２２ａに配設されたネジ穴２２ｄを使用して本体１０の底面１５にスタンド２０を４か所でネジ止めして固定することができる。したがって、本装置１の結合構造は、本体１０とスタンド２０とを固定する固定構造として、ネジ部１４ｄおよびネジ穴２２ｄを備えている。
【００２６】
本体１０のスタンド取付部１４ａについては、二つの懸架孔１４ｂ、１４ｃのうち、懸架孔１４ｂは鉤爪挿入部Ｉｂおよび鉤爪受け部Ｖｂを備え、懸架孔１４ｃは、鉤爪挿入部Ｉｃおよび鉤爪受け部Ｖｃに加えて位置決め部Ｈｃを備えている。また、懸架孔１４ｂ、１４ｃの鉤爪挿入部Ｉｂ、Ｉｃの幅Ｄ１は、いずれもスタンド２０の突起部２２ａに配設された鉤爪部２２ｂ、２２ｃの板厚Ｔより大きく設定されているほか、打ち抜き孔１４ｃの位置決め部Ｈｃの幅Ｄ２は鉤爪部２２ｃの板厚Ｔに対して嵌合寸法になっている。
【００２７】
このような構成により、スタンド２０の鉤爪部２２ｂ、２２ｃを本体１０のスタンド取付部１４ａの懸架孔１４ｂ、１４ｃに挿入し、Ｅ方向にスライドさせることにより、鉤爪部２２ｂ、２２ｃを懸架孔１４ｂ、１４ｃにそれぞれ懸架し、スタンド２０を本体１０に懸架した状態で仮止めすることができる。また、本装置１の結合構造は、本体１０に対してスタンド２０を懸架する懸架構造を備え、懸架構造として、スタンド２０に鉤爪部２２ｂ、２２ｃを備え、本体１０には仮止め部として懸架孔１４ｂ、１４ｃを備えている。
【００２８】
つぎに、懸架構造が有する位置決め機能について説明する。
【００２９】
本装置１の懸架構造は、スタンド２０を本体１０に対して固定に係る位置決めを行う構造を備える。本装置１は、懸架構造の位置決め機能に関し、スタンド２０の鉤爪部２２ｂと２２ｃとの間隔および本体１０の懸架孔１４ｂと１４ｃとの間隔はそれぞれＸに設定され、鉤爪部２２ｂおよび２２ｃにおける載置部ＰｂとＰｃとの段差および懸架孔１４ｂおよび１４ｃにおける鉤爪受け部ＶｂとＶｃとの段差は、それぞれＹに設定されている。
【００３０】
このような構成により、本装置１では、スタンド２０を本体１０に懸架して仮止めする場合、本体１０のネジ部１４ｄおよびスタンド２０のネジ穴２２ｄにより本体１０とスタンド２０との固定を行う固定位置に対して、懸架孔１４ｂ、１４ｃの鉤爪受け部ＶｂおよびＶｃによりスタンド２０の垂直方向の位置決めを行い、懸架孔１４ｃの位置決め部Ｈｃにより水平方向の位置決めを行うことができる。
【００３１】
スタンド２０を本体１０に取り付ける際の利便性に関しては、スタンド２０の重心の位置と二つの鉤爪部２２ｂおよび２２ｃの配設位置との関係が考慮されている。図５（ａ）に示すように、鉤爪部２２ｂ、２２ｃは、スタンド２０を本体１０に懸架する際に水平方向となる方向に対してスタンド２０の重心Ｍの両側に重心Ｍからそれぞれ所定距離Ｚｂ、Ｚｃの位置に設ける。このような構成により、スタンド２０を本体１０に仮止めする際に、鉤爪部２２ｂ、２２ｃにより本体１０に対して安定した状態で懸架することができ、スタンド２０の回転や揺動を確実に防止することができる。
【００３２】
また、本装置１では鉤爪部２２ｂ、２２ｃは寸法および形状が異なっている。これにより、スタンド２０を本体１０に取り付ける際、スタンド２０の取り付け方向の誤りなどのトラブルの発生を防止することができる。鉤爪部２２ｂ、２２ｃの寸法および形状は設計的事項として、種々の設定が可能であることはいうまでもない。
【００３３】
つぎに、スタンド２０を本体１０に取り付ける方法について、図６から図８を用いて説明する。図６および図７は、スタンド２０を本体１０に仮止めする方法を示す側面図および一部拡大斜視図、図８は、スタンド２０を本体１０に仮止めした状態を示す図６のＧＧ一部断面図である。
【００３４】
スタンド２０を本体１０に取り付ける場合は、まず、本体１０を横にして底面１５が机などの取付台３０の短部から若干はみ出した状態で取付台３０に載置する。つぎに、図７に示すように、仮止め用の△記号Ｋを参照しながらＦ方向に懸架孔１４ｃに鉤爪部２２ｃを挿入した後、下方にスライドさせることにより懸架孔１４ｃの鉤爪受け部Ｖｃに鉤爪部２２ｃの載置部Ｐｃを当接させ、仮止め作業を終了する。懸架孔１４ｂについても同様の方法で鉤爪部２２ｂを挿入し、鉤爪受け部Ｖｂに鉤爪部２２ｂの載置部Ｐｃを当接させる。スタンド２０の水平方向の位置決めについては、鉤爪部２２ｃを懸架孔１４ｃに挿入し下方にスライドさせる際に、鉤爪部２２ｃが懸架孔１４ｃの位置決め部Ｈｃと嵌合し、自動的に位置決めが行われる。その後、仮止めされたスタンド２０に対し、ネジ部１４ｄおよびネジ穴２２ｄを使用して４か所のネジ止めを行い、本体１０とスタンド２０との結合作業を終了する。
【００３５】
以上の通り、本装置１によれば、プラズマディスプレイまたは液晶パネルなどの表示パネルを使用する平板型の画像表示装置に関し、スタンド２０を本体１０に取り付けた状態で設置して使用する場合、本体１０にスタンド２０を懸架し、取付位置に仮止めしたうえで、スタンド２０の取り付け作業を行うことができる。また、スタンド２０を仮止めする際に、本体を固定する必要もない。これにより、本体へのスタンドの取り付けに係る構成を簡略化するとともに、設置時等においてスタンドの取り付け作業に係る労力を軽減し、作業効率を高め、コストの低減および利便性の向上を実現することができる。
【００３６】
なお、本装置１では鉤爪部をスタンドに配設し、仮止め部を本体に配設しているが、鉤爪部を本体１０に配設し、仮止め部をスタンド２０に配設する構造であっても同様の機能および効果を発揮することはいうまでもない。
【００３７】
また、本装置１では仮止め部としての二つの懸架孔１４ｂ、１４ｃのうち、懸架孔１４ｃがスタンド２０の固定に係る位置決めを行う構造を備えているが、懸架孔１４ｂがスタンド２０の固定に係る位置決めを行う構造を備える構成であっても同様の機能および効果を発揮することは言うまでもない。
【００３８】
また、本装置１では懸架孔１４ｂ、１４ｃの配設位置並びに、寸法および形状によりスタンド２０の固定に係る位置決めを行っているが、懸架孔１４ｂ、１４ｃの寸法および形状は設計的事項として、種々の設定が可能であることはいうまでもない。
【産業上の利用可能性】
【００３９】
本発明の画像表示装置は、本体およびスタンドを備え、スタンドの取り付けに係る高い利便性が求められる画像表示装置に適用可能である。
【符号の説明】
【００４０】
１    画像表示装置
１０    本体
１１    表示パネル
１２    前面カバー
１３    背面カバー
１３ａ，２１ｂ    窓部
１４    筺体
１４ａ    スタンド取付部
１４ｂ，１４ｃ    懸架孔
１４ｄ    ネジ部
１５    底面
２０    スタンド
２１    スタンドカバー
２１ａ，２２ａ    突起部
２２    支持板
２２ｂ，２２ｃ    鉤爪部
２２ｄ    ネジ穴
２３    溶着ボス
２４，２５    脚部
３０    取付台
Ｉｂ，Ｉｃ    鉤爪挿入部
Ｖｂ，Ｖｃ    鉤爪受け部
Ｈｃ    位置決め部
Ｐｂ，Ｐｃ    載置部
【図１】
2012150371.tif 000003
【図２】
2012150371.tif 000004
【図３】
2012150371.tif 000005
【図４】
2012150371.tif 000006
【図５ａ】
2012150371.tif 000007
【図５ｂ】
2012150371.tif 000008
【図５ｃ】
2012150371.tif 000009
【図６】
2012150371.tif 000010
【図７】
2012150371.tif 000011
【図８】
2012150371.tif 000012